(57)【特許請求の範囲】
【請求項１】
複数の細長い棒状物品を収容する別体のリザーバカートリッジを有し、該リザーバカートリッジは、前記棒状物品が落下する下向き開口を有しており、ディスペンサは、上向き開口するハウジングを備え、前記上向に開口するハウジングは、前記カートリッジの下向き開口部の手段と摺動可能に接合する手段を有する端縁部を有し、前記カートリッジと前記ハウジングを接合状態に保持し、前記ハウジングは離間した端部壁を有しており、前記ハウジングは、前記端部壁間の細長い漏斗状手段を有し、前記漏斗状手段は、傾斜し、スロット内において相互終端する細長い二つの傾斜した壁を有し、取り出しトラップ室は、前記端部壁間の前記スロット内に回転可能に取り付けられたシリンダ手段を含み、前記シリンダ手段は、軸上に軸方向に整列された離間した複数のディスクによって構成され、前記取り出しトラップ室は、前記ディスクの整列された切り欠き部によって区画形成され、少なくとも二つのディスクは、外方に延びる延長部を有しており、前記傾斜壁は、シリンダ手段が回転するときに、前記延長部を受け入れるように構成された対向配置されたスロットを有し、前記ハウジングは、シリンダ手段の下側に取り付けられた受容シュートを有しており、前記棒状物品がシリンダ手段が回転されたときに、重力により受容される細長い棒状物品のディスペンサ。
【請求項２】
受容シュートは、切り欠き部を有し、棒状物品は、手で取り出すことができる請求項１に記載のディスペンサ。
【請求項３】
受容シュートは棒状物品が終端に停止される突き当て手段を有している請求項２に記載のディスペンサ。
【請求項４】
上向きのハウジングのエッジ部は長方形状であり、前記エッジ部は三辺に延びるスロットを有し、前記カートリッジは、下向き開口の回りに外向きに延びるフランジを有し、前記スロットと前記フランジは接合してカートリッジをハウジングと共に保持する請求項１，２又は３に記載のディスペンサ。
【請求項５】
複数の細長い棒状物品を収容したカートリッジを設けるとともに前記カートリッジが底部と四つの側壁とを有し、残りの壁が離脱可能なシール膜を有し、
前記離脱可能なシール膜が上向きとなるようにカートリッジを配置し、
その後に、前記カートリッジに収容される細長い物品へのアクセスを与えるように、上向きに開口するカートリッジからシール膜を除去し、
前記ディスペンサの開口を下向きにするよう前記ディスペンサを配置し、
その後に、前記カートリッジの開口が前記ディスペンサの下向き開口に接合するように前記ディスペンサに前記カートリッジを装着し、
カートリッジをディスペンサに接合した状態で固定し、
前記ディスペンサと前記カートリッジを再配置して、前記細長い棒状物品が重力によりディスペンサに装填される細長い棒状物品を細長い長方形状の開口を有するディスペンサに装填する方法。
【発明の詳細な説明】
【０００１】
楊枝等の細長い棒状の目的物を格納し、取り出すために多くの従来技術による発明が開発されている。こうした装置の多くは、レストランの支払いカウンタで見とめることができる。こうした装置の一つは、D'Agostinoに付与されたアメリカ特許第２，００４，８０５号において実施され、開示されている。特許権者は、突き当て部４６で終端された収容シュート４３を有する楊枝取り出し容器を開示しており、シュートと突き当て部には切り欠きが設けられており、楊枝が容易に取り出せるように構成されている。
【０００２】
通常、細長い棒状の目的物の取り出し容器は、傾斜壁を有する底部に終端を有するマガジン形式の容器に設けられている。傾斜壁は、棒の束と平行なシリンダ周りに端部を有する。シリンダは、一乃至複数の細長いトラップを有しており、該トラップが貯留された棒の底部またはその近傍に位置したときに落下する棒を収容するように構成されたシリンダの細長い溝によってトラップを構成している。シリンダは、トラップがシュート上に反転して棒がトラップからシュート上に落下し、シュートを排出及び取り出し位置まで転がり落ちる位置に回転する。こうした装置の例は、Ｊａｃｋｓｏｎに付与されたアメリカ特許第１，２１２，３５７号及びＳｅｅｇａｒ等に付与されたアメリカ特許第２，３８７，４７０号に開示されている。
【０００３】
より最近のこの種の装置は、Ｌａｉｎｌｏｗに付与されたアメリカ特許第５，５０９，５２２号の細長い棒状物品の取り出し容器に示されている。この特許においては、所定量の細長い棒状物品が透明なカートリッジに収容され、このカートリッジが、取り出し容器内に配置するために反転される。傾斜壁によって、細長い棒状物品は回転可能なシリンダが配置された頂部に向けられる。シリンダは、棒状物品を取り出すために対向して配置されるトラップ室に有しており、重力で排出する位置に搬送される。
【０００４】
本発明は、細長い液体アプリケータのディスペンサ（取出し容器）に関するものである。アプリケータは、ハンドル部とその一端のノブで構成される。ノブはフロック加工されたバスル状の繊維を有している。ディスペンサは、交換可能な透明カートリッジ状の収容容器とともに取り付けられ、収容容器は、アプリケータが装填されると共にその一端が開放され、この開放端部は開口先端部に離脱可能なフィルム膜（シール膜）が貼着されている。開口が上向きなるようにカートリッジが配置された時に、除去される。
【０００５】
ディスペンサは、上下を反転した状態で配置され、カートリッジは一側から残りの部分に滑り込む。カートリッジを配置したディスペンサは、１８０度回転されて取り出しモードで動作可能な状態となる。ディスペンサは、二つの細長いトラップ室の両側に有する水平で回転可能なシリンダ（軸）を有している。シリンダは、細長い軸上に離間して配置される複数のディスクで構成されている。少なくとも二つのディスクは、放射方向外向きに延びるカム面を有しており、カム面はシリンダが位置する底頂部の下向き傾斜壁内に離間してもうけられたスロット（細長い小さい穴）に回転して進入する。カム面は、取り出しのために対向して配置されるトラップ室に落下するときのアプリケータの絡まりを防止する。トラップ室か、シリンダか何れかの方向に１８０度回転すると、これによってアプリケータを、トラップ室のシリンダからシュートに投入する。シュートは、ディスペンサの底部においてほぼ水平に延びるエプロン部を終端に有している。取り出されるアプリケータは、シュートの端部の突き当て部で止まり、この位置から取り出して使用される。カートリッジが空になると、そのカートリッジは取り除かれ、新しく装填されたカートリッジと交換される。
【０００６】
【実施例】
本発明によるディスペンサの全体は、図１の参照符号１１で示されている。ディスペンサ１１には、透明で、長方形状のカートリッジ１０が上端に取り付けられる。ディスペンサは、特に図５において最もよく示されているように長方形状のハウジング１２を有している。ハウジング１２は、長方形状の上向きの開口１３を有している。ハウジングは、長辺側１６，１７から延びてスロット１８を形成する細長く下向きの傾斜した底壁の傾斜壁１４，１５を有している。
【０００７】
軸２０は、スロット１８内に配置される。軸２０は、ハウジング１２を通り、ハウジング１２の短辺側壁２１及び２２から外側に延びている。軸２０は、軸２０と一体で、軸２０よりも幾分大径の複数の相互に離間したディスク２３を有している。
【０００８】
各ディスク２３は、少なくとも一つの放射方向に整列したノッチ２４を有しており、それらは全体としてトラップ室を形成し、このトラップ室には図１２，図１３，図１４に最もよく示されているように、通常、カートリッジ１０に収容された細長い棒状物品２５がハウジング１２の傾斜壁１４，１５に沿って重力によって落下する。
【０００９】
少なくとも二つのディスク２３は、放射方向に延びる延長部２６を有しており、ノッチ２７，２８内に延びると共に、各傾斜壁１４，１５内に進入する。これらの延長部２７，２８は、傾斜壁１４，１５の周囲に棒状物品２５が蓄積されて詰まりが生じることを防止する。
【００１０】
ハウジング１２は、下向きに延びるＵ字形状の部分３０を有しており、底部３１において終端している。受容傾斜シュート３２は、底部３１の上側に取り付けられ、Ｕ字形状の部分３０及び長辺側１６，１７の下側壁(below wall)によって規定される開口を通して延びている。シュート３２は、Ｕ字形状の部分３０の上側の突き当て部３３に終端して、図１４に示すように取り出される棒状物品２５を保持するように形成される。シュート３２は、ノッチ３４を有しており、棒状物品２５の取り出しを容易とする。
【００１１】
ディスペンサのハウジングは、棒状物品２５を収容したカートリッジ１０を容易に装填できる。図２は、上向き状態のカートリッジ１０を示している。カートリッジは、外向きに延びるフランジ４０を有する長方形状の収容室を構成している。フランジには、カバーフィルム（シール膜）４１が接着固定され、このカバーフィルム４１は図３に示すように部分的に剥がされる。図４は、これに続く装着過程を示している。ハウジング１２は反転され、カートリッジ１０は長手方向にスライドして、フランジ４０は、長辺側１６，１７の両端部の壁の溝４２内をスライドする。カートリッジ１０が所定位置までスライドすると、ハウジング１２は図１に示す通常の位置に戻される。取り出される棒状の物品は、重力により傾斜壁１４，１５によって規定される空間を埋める。軸２０が何れかの端部において回転されて、ノッチを棒状物品が落入するように位置させる。軸は、回転を継続して捕捉した棒状物品を、図１２，図１３，図１４に示すように移動させて、ディスクのノッチは下向きに配置され、棒状物品はノッチを離れてシュートに落下する。
【００１２】
全ての棒状物品が取り出されると、カートリッジ１０が、ハウジング１２からスライドして取り外される。ハウジング１２には、図４に示すように反転された状態において、新しい、装填されたカートリッジ１０が装着される。
【００１３】
ハウジングは、熱可塑性材料の射出成形により形成される。カートリッジは、透明であり、装填したカートリッジ１０の交換を要求する前に、棒状物品の量を確認することが出来る。
【図面の簡単な説明】
【図１】  アプリケータカートリッジを装着した本発明によるディスペンサの斜視図である。
【図２】  ディスペンサに装着されるアプリケータを収容したカートリッジを反転して示す斜視図である。
【図３】  カバーを部分的に取り除いた状態の図２と同様のカートリッジの斜視図である。
【図４】  カバー全体を除去したアプリケータを装填したカートリッジをスライドして受け入れるディスペンサを反転して示す斜視図である。
【図５】  カートリッジのない状態で、前壁の一部を除去して、取り出し構造のトラップ室を示すディスペンサの斜視図である。
【図６】  取り出し用のトラップ室の詳細を示す拡大図である。
【図７】  トラップ室を所定角度回転した図６と同様の拡大図である。
【図８】  図７よりも大きい角度回転したトラップ室を示す、図６，図７と同様の拡大図である。
【図９】  室の弧状変位の進行を示すトラップ室の概略平面図である。
【図１０】  室の弧状変位の進行を示すトラップ室の概略平面図である。
【図１１】  室の弧状変位の進行を示すトラップ室の概略平面図である。
【図１２】  トラップ室の取り出し動作を示す概略断面図である。
【図１３】  トラップ室の取り出し動作を示す概略断面図である。
【図１４】  トラップ室の取り出し動作を示す概略断面図である。
【符号の説明】
１０  カートリッジ
１１  ディスペンサ
１２  ハウジング
１４  傾斜壁
１５  傾斜壁
２０  軸
２３  ディスク
２４  ノッチ
２５  細長い棒状物品
３２  受容傾斜シュート
３４  ノッチ
４０  フランジ
４１  カバーフィルム
【図２】
0004463986.tif 000002
【図３】
0004463986.tif 000003
【図４】
0004463986.tif 000004
【図１】
0004463986.tif 000005
【図１２】
0004463986.tif 000006
【図１３】
0004463986.tif 000007
【図１４】
0004463986.tif 000008
【図５】
0004463986.tif 000009
【図６】
0004463986.tif 000010
【図７】
0004463986.tif 000011
【図８】
0004463986.tif 000012
【図９】
0004463986.tif 000013
【図１０】
0004463986.tif 000014
【図１１】
0004463986.tif 000015